(57)【要約】【課題】  低コストで印字品質を保ち発光素子の劣化を抑える。【解決手段】  複数の発光素子を備えた発光装置の光量補正方法において、複数の発光素子を所定の階調値で発光させた時の光量値を測定し、光量値リストを生成する光量値測定工程と、ハイパスフィルタをかけ、光量値リストの高周波成分を取り出した高周波光量値リストを生成する高周波成分抽出工程と、ローパスフィルタをかけ、光量値リストの低周波成分を取り出した低周波光量値リストを生成する低周波成分抽出工程と、高周波光量値リストの各光量値が第１の許容範囲に収まるように補正する第１の補正値と、低周波光量値リストの各光量値が第２の許容範囲に収まるように補正する第２の補正値を算出し、第１の補正値と第２の補正値に基づき複数の発光素子の補正値を算出する補正値算出工程と、複数の発光素子に対する入力データの階調値を補正値に基づき補正する階調値補正工程と、からなる。【選択図】      図３
2007044898.tif 000002
【特許請求の範囲】
【請求項１】
入力データの階調値に応じて駆動される複数の発光素子を備えた発光装置の光量補正方法において、
前記複数の発光素子を所定の階調値で発光させた時の光量値を各々測定し、光量値リストを生成する光量値測定工程と、
前記光量値リストに対し所定の遮断周波数によりハイパスフィルタをかけ、前記光量値リストの高周波成分を取り出した高周波光量値リストを生成する高周波成分抽出工程と、
前記光量値リストに対し所定の遮断周波数によりローパスフィルタをかけ、前記光量値リストの低周波成分を取り出した低周波光量値リストを生成する低周波成分抽出工程と、
前記高周波光量値リストの各光量値が所定の第１の許容範囲に収まるように補正する第１の補正値と、前記低周波光量値リストの各光量値が所定の第２の許容範囲に収まるように補正する第２の補正値を算出し、前記第１の補正値と前記第２の補正値に基づき前記複数の発光素子の各々に対し補正値を算出する補正値算出工程と、
前記複数の発光素子に対する前記入力データの各々の階調値を前記補正値に基づき補正する階調値補正工程と、
からなる、
ことを特徴とする発光装置の光量補正方法。
【請求項２】
請求項１に記載の発光装置の光量補正方法において、前記第１の許容範囲よりも前記第２の許容範囲を大きくする、ことを特徴とする発光装置の光量補正方法。
【請求項３】
請求項１に記載の発光装置の光量補正方法において、前記高周波光量値リストのすべての光量値が前記第１の許容範囲に入っており、かつ、前記低周波光量値リストのすべての光量値が前記第２の許容範囲に入っている場合は、前記複数の発光素子に対する前記入力データの各々の階調値を補正しない、ことを特徴とする発光装置の光量補正方法。
【請求項４】
請求項１に記載の発光装置の光量補正方法において、前記第１の許容範囲及び前記第２の許容範囲の下限値は、前記発光素子の時間経過による光量値の劣化分、高い値に設定する、ことを特徴とする発光装置の光量補正方法。
【請求項５】
請求項１に記載の発光装置の光量補正方法において、前記階調値補正工程は、前記階調値を電圧で補正する、ことを特徴とする発光装置の光量補正方法。
【請求項６】
請求項１に記載の発光装置の光量補正方法において、前記階調値補正工程は、前記階調値を電流で補正する、ことを特徴とする発光装置の光量補正方法。
【請求項７】
請求項１に記載の発光装置の光量補正方法において、前記階調値補正工程は、前記階調値を発光時間で補正する、ことを特徴とする発光装置の光量補正方法。
【請求項８】
請求項１に記載の発光装置の光量補正方法において、前記補正値は、各々の階調値毎に算出する、ことを特徴とする発光装置の光量補正方法。
【請求項９】
請求項１に記載の発光装置の光量補正方法において、前記補正値算出工程は、前記発光装置の両端の前記発光素子の光量値が等しくなるように前記補正値を設定する、ことを特徴とする発光装置の光量補正方法。
【請求項１０】
請求項１から９のいずれか一項に記載の発光装置の光量補正方法により前記複数の発光素子の光量値を補正する、ことを特徴とする発光装置。
【請求項１１】
請求項１０に記載の発光装置において、前記複数の発光素子が有機発光ダイオード素子である、ことを特徴とする発光装置。
【請求項１２】
請求項１０または１１に記載の発光装置において、前記複数の発光素子が１ライン状に配列されている、ことを特徴とする発光装置。
【請求項１３】
請求項１０または１１に記載の発光装置において、前記複数の発光素子が２次元で配列されている、ことを特徴とする発光装置。
【請求項１４】
感光体と、
前記感光体を一様に帯電させる帯電手段と、
請求項１２に記載の発光装置を備え、前記感光体を露光することにより形成対象画像の静電潜像を前記感光体上に形成する露光手段と、
前記感光体上の静電潜像をトナー像として現像する現像手段と、
前記感光体上のトナー像を転写材に転写させる転写手段と、
前記転写材上のトナー像を定着させる定着手段と、
を具備する、ことを特徴とする画像形成装置。
【請求項１５】
請求項１３に記載の発光装置を備え、前記発光装置の各発光素子を画素として発光させて画像を表示する、ことを特徴とする表示装置。
【発明の詳細な説明】
【技術分野】
【０００１】
本発明は、発光装置の光量補正方法、画像形成装置及び表示装置に関する。
【背景技術】
【０００２】
１ラインに多数の発光素子を設けたラインヘッドを露光手段として用いる複写機等の画像形成装置が開発されている。このような装置では、発光素子の特性劣化による輝度変化やヘッド全面にわたる点灯劣化に起因する輝度ばらつきの発生を抑える技術が提案されている。
【０００３】
この問題を解決するために、例えば特許文献１には、光量ばらつきを測定して、光量を均一にするために画素毎に電圧、電流、発光時間を調整している。一方、特許文献２には、光センサを設置して光量を検出し、検出した光量値に基づいて光量を補正している。さらに、特許文献３には、各画素毎の発光回数をカウンタで計測して、計測した発光回数に基づいて光量を補正している。
【０００４】
【特許文献１】特開昭５９−１９４５６６号公報
【特許文献２】特開昭６０−１０７３７３号公報
【特許文献３】特開昭６２−２４６７５３号公報
【発明の開示】
【発明が解決しようとする課題】
【０００５】
しかしながら、特許文献１の技術では、光量の多い画素に比べて光量の少ない画素は、光量を均一にするために光量の補正値を多くするため、その分画素の劣化が進んでしまう。また、光量を均一にするために補正値のビット数が多く必要なため、回路規模が大きくなってしまう。一方、特許文献２の技術では、光センサを各画素毎に設置しなければならず、コストがかかる。さらに、特許文献３の技術では、カウンタを各画素毎に設置しなければならず、コストがかかる。
【０００６】
本発明は、上記の事情に鑑みてなされたものであり、印字品質を保つと共に低コストかつ素子の劣化を抑えることができる発光装置の補正方法、画像形成装置を提供することを目的とする。
【課題を解決するための手段】
【０００７】
上記課題を解決するために、本発明の発光装置の補正方法では、入力データの階調値に応じて駆動される複数の発光素子を備えた発光装置の光量補正方法において、前記複数の発光素子を所定の階調値で発光させた時の光量値を各々測定し、光量値リストを生成する光量値測定工程と、前記光量値リストに対し所定の遮断周波数によりハイパスフィルタをかけ、前記光量値リストの高周波成分を取り出した高周波光量値リストを生成する高周波成分抽出工程と、前記光量値リストに対し所定の遮断周波数によりローパスフィルタをかけ、前記光量値リストの低周波成分を取り出した低周波光量値リストを生成する低周波成分抽出工程と、前記高周波光量値リストの各光量値が所定の第１の許容範囲に収まるように補正する第１の補正値と、前記低周波光量値リストの各光量値が所定の第２の許容範囲に収まるように補正する第２の補正値を算出し、前記第１の補正値と前記第２の補正値に基づき前記複数の発光素子の各々に対し補正値を算出する補正値算出工程と、前記複数の発光素子に対する前記入力データの各々の階調値を前記補正値に基づき補正する階調値補正工程と、からなる、ことを要旨とする。
【０００８】
この構成によれば、発光素子の光量値のばらつきを隣接する発光素子間のばらつきを示す高周波成分と、発光装置全体の発光素子のばらつきの傾向を示す低周波成分に分け、各々の発光素子毎に補正値を算出するので、各々の発光素子の特性を考慮して補正することが可能となり、発光素子の劣化を抑え、印字品質を保つことができる。
【０００９】
本発明の発光装置の補正方法では、前記第１の許容範囲よりも前記第２の許容範囲を大きくする。
【００１０】
この構成によれば、発光装置全体の発光素子のばらつきの傾向を示す低周波成分は、隣接する発光素子間のばらつきを示す高周波成分に比べて範囲が大きいので、低周波成分の許容範囲を大きくすることにより、適切な補正値を得ることができる。
【００１１】
本発明の発光装置の補正方法では、前記高周波光量値リストのすべての光量値が前記第１の許容範囲に入っており、かつ、前記低周波光量値リストのすべての光量値が前記第２の許容範囲に入っている場合は、前記複数の発光素子に対する前記入力データの各々の階調値を補正しない。
【００１２】
この構成によれば、補正が必要なければ補正をしないので、発光素子の劣化を抑え、印字品質を保つことができる。
【００１３】
本発明の発光装置の補正方法では、前記第１の許容範囲及び前記第２の許容範囲の下限値は、前記発光素子の時間経過による光量値の劣化分、高い値に設定する。
【００１４】
この構成によれば、発光素子の光量値が経時変化による劣化値を考慮して、許容範囲の下限値よりも劣化値の分、高く下限値を設定することにより、発光素子の印字品質を長く保つことが可能になる。
【００１５】
本発明の発光装置の補正方法では、前記階調値補正工程は、前記階調値を電圧で補正する。
【００１６】
この構成によれば、電圧駆動型の発光素子に対して、発光素子の劣化を抑え、印字品質を保つことができる。
【００１７】
本発明の発光装置の補正方法では、前記階調値補正工程は、前記階調値を電流で補正する。
【００１８】
この構成によれば、電流駆動型の発光素子に対して、発光素子の劣化を抑え、印字品質を保つことができる。
【００１９】
本発明の発光装置の補正方法では、前記階調値補正工程は、前記階調値を発光時間で補正する。
【００２０】
この構成によれば、パルス幅変調型の発光素子に対して、発光素子の劣化を抑え、印字品質を保つことができる。
【００２１】
本発明の発光装置の補正方法では、前記補正値は、各々の階調値毎に算出する。
【００２２】
この構成によれば、階調値毎に補正値を設定することにより、階調値に依存する発光素子の光量値のばらつきにも対応することができ、発光素子の劣化を抑え、印字品質を保つことができる。
【００２３】
本発明の発光装置の補正方法では、前記補正値算出工程は、前記発光装置の両端の前記発光素子の光量値が等しくなるように前記補正値を設定する。
【００２４】
この構成によれば、発光装置により均一な色を紙に印刷した時に、紙の両サイドの色が同じになるので、横に並べた時に違和感がなくなる。
【００２５】
本発明の発光装置では、発光装置の補正方法により前記複数の発光素子の光量値を補正する。
【００２６】
この構成によれば、発光素子の光量値のばらつきを隣接する発光素子間のばらつきを示す高周波成分と、発光装置全体の発光素子のばらつきの傾向を示す低周波成分に分け、各々の発光素子毎に補正値を算出するので、各々の発光素子の特性を考慮して補正することが可能となり、発光素子の劣化を抑え、印字品質を保つことができる。
【００２７】
本発明の発光装置では、前記複数の発光素子が有機発光ダイオード素子である。
【００２８】
この構成によれば、複数の有機発光ダイオード素子の輝度ばらつきを簡単な構成で精度よく補正することができる。
【００２９】
本発明の発光装置では、前記複数の発光素子が１ライン状に配列されている。
【００３０】
この構成によれば、複数の発光素子を１ライン状に配列した発光装置、つまりラインヘッドについて、各発光素子の輝度ばらつきを簡単な構成で精度よく補正することができる。
【００３１】
本発明の発光装置では、前記複数の発光素子が２次元で配列されている。
【００３２】
この構成によれば、複数の発光素子を２次元配列した発光装置、つまり表示パネルについて、各発光素子の輝度ばらつきを簡単な構成で精度よく補正することができる。
【００３３】
本発明の画像形成装置では、感光体と、前記感光体を一様に帯電させる帯電手段と、本発明の発光装置を備え、前記感光体を露光することにより形成対象画像の静電潜像を前記感光体上に形成する露光手段と、前記感光体上の静電潜像をトナー像として現像する現像手段と、前記感光体上のトナー像を転写材に転写させる転写手段と、前記転写材上のトナー像を定着させる定着手段と、を具備する。
【００３４】
この構成によれば、発光素子の光量値のばらつきを隣接する発光素子間のばらつきを示す高周波成分と、発光装置全体の発光素子のばらつきの傾向を示す低周波成分に分け、各々の発光素子毎に補正値を算出するので、各々の発光素子の特性を考慮して補正することが可能となり、発光素子の劣化を抑え、印字品質を保つことができる。この結果、形成する画像の品質を向上させることができる。
【００３５】
本発明の表示装置では、上記発光装置を備え、前記発光装置の各発光素子を画素として発光させて画像を表示する。
【００３６】
この構成によれば、簡単な構成かつ精度良く各発光素子の特性劣化による輝度ばらつきを補正することができる。この結果、表示する画像の品質を向上させることができる。
【発明を実施するための最良の形態】
【００３７】
以下、本発明を具体化した実施形態について図面に従って説明する。
（第１実施形態）
【００３８】
＜発光装置の構成＞
図１は、本発明の一実施形態に係る発光装置をプリンタラインヘッドとして使用する場合の概略構成図である。図１に示すように、発光装置１は、素子基板１００とプリント回路基板であるＰＣＢ（Print Circuit Board）１４０とが、フレキシブルプリント配線板であるＦＰＣ（Flexible Printed Circuit）１３０で接続されている。素子基板１００上には、複数の発光素子１１０が配置され、ＦＰＣ１３０上には、発光素子を駆動するドライバＩＣ１２０が配置され、ＰＣＢ１４０上には、補正値を記憶するＥＥＰＲＯＭ（Electronically Erasable and Programmable Read Only Memory）１５０が配置されている。
【００３９】
次に、図２を参照して、発光素子の配列とドライバＩＣの接続方法を説明する。図２は、発光素子１１０の配列とドライバＩＣ１２０の接続方法を示す構成図である。図２（Ａ）に示すように、発光素子１１０は、素子基板１００上に、上段と下段に千鳥状に交互に配置されている。発光素子１１０とドライバＩＣ１２０の配線方法は、一例として図２（Ａ）から（Ｃ）のように配線される。
【００４０】
図２（Ａ）では、ドライバＩＣ１２０は、図２（Ａ）において素子基板１００の下側にのみ配置され、発光素子１１０と配線されている。また、図２（Ｂ）では、ドライバＩＣ１２０は、図２（Ｂ）において素子基板１００の上側と下側の２段に配置され、上段の発光素子１１０は、上側のドライバＩＣ１２０に配線され、下段の発光素子１１０は、下側のドライバＩＣ１２０に配線されている。さらに、図２（Ｃ）では、ドライバＩＣ１２０は、図２（Ｃ）において素子基板１００の左半分は下側に、右半分は上側に配置され、左半分の発光素子１１０は、下側のドライバＩＣ１２０に配線され、右半分の発光素子１１０は、上側のドライバＩＣ１２０に配線されている。
【００４１】
上述したような発光素子１１０とドライバＩＣ１２０の配線方法に起因し、発光素子１１０の発光輝度が素子間でばらついてしまう問題があった。
【００４２】
＜発光装置の光量値を測定する装置の構成＞
次に、図３を参照して、本実施形態における発光装置の光量値を測定する装置について説明する。図３は、発光装置の光量値を測定する装置の概略構成図である。図３に示すように、発光装置１の光量値を測定する装置は、素子基板１００を固定する素子基板固定冶具１６０と、発光素子１１０の光量を測定するセンサ２００と、センサ２００を制御するセンサ制御回路２１０と、センサ２００が測定した光量値を処理する光量値補正回路２２０と、で構成されている。
【００４３】
センサ２００は、素子基板１００上のすべての発光素子１１０の光量を測定できるように、素子基板１００上を移動可能に設けられている。発光素子１１０は、ドライバＩＣ１２０の発光制御信号により順次発光し、センサ２００は、センサ制御回路２１０から送信されるセンサ制御信号により制御され、各々の発光素子１１０の光量値を光量値補正回路２２０に送信する。光量値補正回路２２０は、センサ２００から送信された光量値に基づき、各々の発光素子１１０に対する補正値を算出し、ＥＥＰＲＯＭ１５０に記憶させる。
【００４４】
次に、図４を参照して、光量値補正回路２２０について説明する。図４は、光量値補正回路２２０の構成図である。図４に示すように、センサ２００は、光量値測定工程である光量値測定部２２２を含み、光量値測定部２２２は、光量値補正回路２２０に光量値リスト２２３を生成する。光量値補正回路２２０は、高周波成分抽出工程であるハイパスフィルタ２２４と、低周波成分抽出工程であるローパスフィルタ２２６を有し、光量値リスト２２３から、各々、高周波光量値リスト２２５と、低周波光量値リスト２２７を生成する。光量値補正回路２２０は、さらに、補正値算出工程である補正値算出部２２８を有し、補正値算出部２２８は、高周波光量値リスト２２５と低周波光量値リスト２２７に基づき各々の発光素子１１０に対する補正値を算出し、ＥＥＰＲＯＭ１５０に記憶させる。また、ドライバＩＣ１２０は、階調値補正工程である階調値補正部２３０を有し、ＥＥＰＲＯＭ１５０に記憶された補正値に基づき、入力データの階調値を補正する。
【００４５】
＜光量値を高周波成分と低周波成分に分ける方法＞
次に、図５を参照して、光量値リストを高周波成分と低周波成分に分ける方法について説明する。図５は、光量値リストを高周波成分と低周波成分に分ける方法を示すグラフである。図５（Ａ）の実線で示すグラフａは、センサ２００が測定した各発光素子１１０の光量値リストである。グラフａの波形の谷の底点を結ぶ点線で表すグラフｂは、隣り合う発光素子１１０の光量値の差に依存しない、光量値リスト全体の光量値の傾向を示すグラフである。グラフｂを所定の遮断周波数とし、ハイパスフィルタ２２４をかけた結果の高周波成分のグラフが、図５（Ｂ）であり、グラフｂを所定の遮断周波数とし、ローパスフィルタ２２６をかけた結果の低周波成分のグラフが、図５（Ｃ）である。
【００４６】
次に、図６を参照して、光量値と許容範囲の関係について説明する。図６は、光量値と許容範囲の関係を示すグラフである。
【００４７】
図６において、Ｌａは、プリンタラインヘッドの仕様としての光量の許容範囲の上限値、Ｌｃは、プリンタラインヘッドの仕様としての光量の許容範囲の下限値、Ｌｂは、Ｌｃに対し発光素子１１０が経時に伴い劣化する光量値の劣化分を上乗せした下限値である。各発光素子１１０の光量値は、上限値Ｌａから下限値Ｌｂの範囲に入るように補正が行われる。図６において、Ｎ１番目の画素の光量値Ｌ１は、下限値Ｌｂよりも小さいのでＬｂ≦Ｌ１≦Ｌａとなるように補正され、Ｎ２番目の画素の光量値Ｌ２は、Ｌｂ≦Ｌ２≦Ｌａなので補正されず、Ｎ３番目の画素の光量値Ｌ３は、上限値Ｌａよりも大きいのでＬｂ≦Ｌ３≦Ｌａとなるように補正される。
【００４８】
＜補正値算出部の処理＞
次に、図７を参照して、補正値算出部２２８の処理について説明する。図７は、補正値算出部２２８の処理を説明するフローチャートである。図７において、ｉは、素子基板１００上に並ぶ発光素子１１０の数がｍ個であるとすると、１≦ｉ≦ｍの自然数である。また、ｈＬａは、高周波成分の上限値、ｈＬｂは、高周波成分の下限値であり、ｈＬａからｈＬｂの範囲が第１の許容範囲であり、ｈＤｒは、第１の補正値である。また、ｌＬａは、低周波成分の上限値、ｌＬｂは、低周波成分の下限値であり、ｌＬａからｌＬｂの範囲が第２の許容範囲であり、ｌＤｒは、第２の補正値である。また、本実施形態においては、ｌＤｒとｈＤｒのうち、値が大きい方を補正値とする。
【００４９】
先ず、ステップＳ１００では、ｉ番目（初回はｉ＝１）の発光素子１１０を選択し、ステップＳ１０２では、高周波光量値リスト２２５からｉ番目の光量値ｈＬｉを取得する。
【００５０】
次に、ステップＳ１０４では、光量値ｈＬｉがｈＬａからｈＬｂの範囲に入っているか否かを判定し、ｈＬｉ＜ｈＬｂの場合は、ステップＳ１０６に移行し、ｈＬｂ≦ｈＬｉ≦ｈＬａの場合は、ステップＳ１０８に移行し、ｈＬａ＜ｈＬｉの場合は、ステップＳ１１０に移行する。
【００５１】
次に、ステップＳ１０６では、ｈＤｒ＝ｈＬｂ／ｈＬｉを設定し、ステップＳ１０８では、ｈＤｒ＝１を設定し、ステップＳ１１０では、ｈＤｒ＝ｈＬａ／ｈＬｉを設定し、各々ステップＳ１１２に移行する。
【００５２】
次に、ステップＳ１１２では、低周波光量値リスト２２７からｉ番目の光量値ｌＬｉを取得する。
【００５３】
次に、ステップＳ１１４では、光量値ｌＬｉがｌＬａからｌＬｂの範囲に入っているか否かを判定し、ｌＬｉ＜ｌＬｂの場合は、ステップＳ１１６に移行し、ｌＬｂ≦ｌＬｉ≦ｌＬａの場合は、ステップＳ１１８に移行し、ｌＬａ＜ｌＬｉの場合は、ステップＳ１２０に移行する。
【００５４】
次に、ステップＳ１１６では、ｌＤｒ＝ｌＬｂ／ｌＬｉを設定し、ステップＳ１１８では、ｌＤｒ＝１を設定し、ステップＳ１２０では、ｌＤｒ＝ｌＬａ／ｌＬｉを設定し、各々ステップＳ１２２に移行する。
【００５５】
次に、ステップＳ１２２では、ｌＤｒがｈＤｒよりも大きいか否かを判定し、ｌＤｒ＞ｈＤｒである場合は、ステップＳ１２４に移行し、ｉ番目の発光素子１１０の補正値ＤｒｉにｌＤｒを設定し、一方、ｌＤｒ≦ｈＤｒである場合は、ステップＳ１２６に移行し、ｉ番目の発光素子１１０の補正値ＤｒｉにｈＤｒを設定し、各々ステップＳ１２８に移行する。
【００５６】
次に、ステップＳ１２８では、選択中の発光素子１１０が最後（ｉ＝ｍ）か否かを判定し、最後ならば、処理を終了し、最後でなければ、ステップＳ１３０に移行する。
【００５７】
次に、ステップＳ１３０では、補正値ＤｒｉをＥＥＰＲＯＭ１５０に記憶させ、ｉ＝ｉ＋１を設定し、ステップＳ１００に移行する。
【００５８】
＜高周波成分の補正＞
次に、図８を参照して、光量値の高周波成分の補正について説明する。図８は、光量値の高周波成分の補正を説明するグラフである。図８において、ｈＬａは、プリンタラインヘッドの仕様としての高周波成分の上限値、ｈＬｃは、プリンタラインヘッドの仕様としての高周波成分の下限値であり、ｈＬｂは、ｈＬｃに対し発光素子１１０が経時に伴い劣化する光量値の劣化分を上乗せした下限値である。
【００５９】
図８（Ａ１）に示すように、すべての高周波成分の光量値がｈＬａからｈＬｂの許容範囲に入っているので、図８（Ａ２）に示すように、補正値は１となり、補正は行われない。
【００６０】
一方、図８（Ｂ１）に示すように、光量値が下限値ｈＬｂを下回る発光素子１１０に対して、図８（Ｂ２）に示すように、ｈＬａからｈＬｂの許容範囲に入るように、補正値が設定される。
【００６１】
＜低周波成分の補正＞
次に、図９を参照して、光量値の低周波成分の補正について説明する。図９は、光量値の低周波成分の補正を説明するグラフである。図９において、ｌＬａは、プリンタラインヘッドの仕様としての低周波成分の上限値、ｌＬｃは、プリンタラインヘッドの仕様としての低周波成分の下限値であり、ｌＬｂは、ｌＬｃに対し発光素子１１０が経時に伴い劣化する光量値の劣化分を上乗せした下限値である。なお、ｌＬａからｌＬｂの許容範囲は、ｈＬａからｈＬｂの許容範囲よりも大きく設定される。
【００６２】
図９（Ａ１）に示すように、すべての低周波成分の光量値がｌＬａからｌＬｂの許容範囲に入っているので、図９（Ａ２）に示すように、補正値は１となり、補正は行われない。
【００６３】
一方、図９（Ｂ１）に示すように、光量値が下限値ｌＬｂを下回る発光素子１１０に対して、図９（Ｂ２）に示すように、ｌＬａからｌＬｂの許容範囲に入るように、補正値が設定される。
【００６４】
以上に述べた前記実施形態によれば、以下の効果が得られる。
【００６５】
本実施形態では、発光装置１の出荷時にすべての発光素子１１０の光量を測定し、測定した光量値リストを高周波成分と低周波成分に分類し、隣り合う発光素子１１０間の光量値のばらつきと、全体の発光素子１１０の光量値のばらつきの両方から均一な光量となるように補正値を算出するので、各々の発光素子の特性を考慮して補正することが可能となり、発光素子の劣化を抑え、印字品質を保つことができる。
【００６６】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００６７】
（変形例１）本発明に係る発光装置１の第１変形例について説明する。前記第１実施形態では、図３で説明したように、発光装置１単体で補正値を算出するように説明したが、さらに、算出した補正値により補正した状態で、発光装置１をプリンタに組み込み、同一色（黒など）で紙に印字した印字結果を濃度計で測定し、色むらがなくなるように補正値を修正するようにしてもよい。
【００６８】
（変形例２）本発明に係る発光装置１の第２変形例について説明する。補正値算出部２２８は、素子基板１００に配置された発光素子１１０の両端の光量値が等しくなるように補正値を設定するようにしてもよい。本変形例２によれば、発光装置１により均一な色を紙に印刷した時に、紙の両サイドの色が同じになるので、横に並べた時に違和感がなくなる。
【００６９】
（変形例３）本発明に係る発光装置１の第３変形例について説明する。発光装置１は、上述したプリンタラインヘッドに限らず、複数の発光素子を二次元状に配列し、各発光素子を画像を表示するための画素とする表示装置や、このような表示装置が組み込まれた各種の電子機器に適用することも可能である。
【００７０】
＜画像形成装置＞
次に、図１０を参照して、図１に示した発光装置１を露光装置として組み込んだ画像形成装置の一例について説明する。
図１０は、本画像形成装置の構成を示す縦断側面図である。この画像形成装置は、図１に示した発光装置と同様に構成された４個の有機ＥＬアレイラインヘッド１０１Ｋ、１０１Ｃ、１０１Ｍ、１０１Ｙを、対応する４個の感光体ドラム４１Ｋ、４１Ｃ、４１Ｍ、４１Ｙ（像担持体）を露光するための露光装置として各々配置したものであり、タンデム方式の画像形成装置として構成されている。なお、符号の後に付加されたＫ、Ｃ、Ｍ、Ｙは各々に黒、シアン、マゼンタ、イエローを意味し、黒、シアン、マゼンタ、イエロー用の感光体であることを示している。このことは他の部材についても同様である。
【００７１】
この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト５０を備えている。この中間転写ベルト５０に対して所定間隔で配置された４個の像担持体としての外周面に感光層を有する感光体ドラム４１Ｋ、４１Ｃ、４１Ｍ、４１Ｙが配置される。
【００７２】
感光体ドラム４１Ｋ、４１Ｃ、４１Ｍ、４１Ｙは、中間転写ベルト５０の駆動と同期して図示矢印方向（時計方向）へ回転駆動される。各感光体ドラム４１Ｋ、４１Ｃ、４１Ｍ、４１Ｙの周囲には、それぞれ感光体ドラム４１Ｋ、４１Ｃ、４１Ｍ、４１Ｙの外周面を一様に帯電させる帯電手段４２Ｋ、４２Ｃ、４２Ｍ、４２Ｙ（コロナ帯電器）と、この帯電手段４２Ｋ、４２Ｃ、４２Ｍ、４２Ｙにより一様に帯電させられた外周面を感光体ドラム４１Ｋ、４１Ｃ、４１Ｍ、４１Ｙの回転に同期して順次ライン走査する有機ＥＬアレイラインヘッド１０１Ｋ、１０１Ｃ、１０１Ｍ、１０１Ｙが設けられている。
【００７３】
また、この画像形成装置は、上記有機ＥＬアレイラインヘッド１０１Ｋ、１０１Ｃ、１０１Ｍ、１０１Ｙで形成された静電潜像に現像剤であるトナーを付与して可視像（トナー像）とする現像装置４４Ｋ、４４Ｃ、４４Ｍ、４４Ｙと、この現像装置４４Ｋ、４４Ｃ、４４Ｍ、４４Ｙで現像されたトナー像を一次転写対象である中間転写ベルト５０に順次転写する一次転写ローラ４５Ｋ、４５Ｃ、４５Ｍ、４５Ｙと、転写された後に感光体ドラム４１Ｋ、４１Ｃ、４１Ｍ、４１Ｙの表面に残留しているトナーを除去するクリーニング装置４６Ｋ、４６Ｃ、４６Ｍ、４６Ｙとを有している。
【００７４】
ここで、各有機ＥＬアレイラインヘッド１０１Ｋ、１０１Ｃ、１０１Ｍ、１０１Ｙは、有機ＥＬアレイラインヘッド１０１Ｋ、１０１Ｃ、１０１Ｍ、１０１Ｙのアレイ方向が感光体ドラム４１Ｋ、４１Ｃ、４１Ｍ、４１Ｙの母線に沿うように設置される。そして、各有機ＥＬアレイラインヘッド１０１Ｋ、１０１Ｃ、１０１Ｍ、１０１Ｙの発光エネルギーピーク波長と、感光体ドラム４１Ｋ、４１Ｃ、４１Ｍ、４１Ｙの感度ピーク波長とは略一致するように設定されている。
【００７５】
現像装置４４Ｋ、４４Ｃ、４４Ｍ、４４Ｙは、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体ドラム４１Ｋ、４１Ｃ、４１Ｍ、４１Ｙに接触あるいは押圧させることにより、感光体ドラム４１Ｋ、４１Ｃ、４１Ｍ、４１Ｙの電位レベルに応じて現像剤を付着させることによりトナー像として現像するものである。
【００７６】
このような４色の単色トナー像形成ステーションにより形成された黒、シアン、マゼンタ、イエローの各トナー像は、一次転写ローラ４５Ｋ、４５Ｃ、４５Ｍ、４５Ｙに印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００７７】
なお、図１０において、符号６３は多数枚の記録媒体Ｐが積層保持されている給紙カセット、６４は給紙カセット６３から記録媒体Ｐを一枚ずつ給送するピックアップローラ、６５は二次転写ローラ６６の二次転写部への記録媒体Ｐの供給タイミングを規定するゲートローラ対、６６は中間転写ベルト５０との間で二次転写部を形成する二次転写手段としての二次転写ローラ、６７は二次転写後に中間転写ベルト５０の表面に残留しているトナーを除去するクリーニングブレードである。
【図面の簡単な説明】
【００７８】
【図１】本発明の実施形態に係わる発光装置の概略構成図。
【図２】発光素子の配列とドライバＩＣの接続方法を示す構成図。
【図３】発光装置の光量値を測定する装置の概略構成図。
【図４】光量値補正回路の構成図。
【図５】光量値リストを高周波成分と低周波成分に分ける方法を示すグラフ。
【図６】光量値と許容範囲の関係を示すグラフ。
【図７】補正値算出部の処理を説明するフローチャート。
【図８】光量値の高周波成分の補正を説明するグラフ。
【図９】光量値の低周波成分の補正を説明するグラフ。
【図１０】発光装置を用いた画像形成装置の構成例を示す断面図。
【符号の説明】
【００７９】
１…発光装置、１００…素子基板、１１０…発光素子、１２０…ドライバＩＣ、１３０…ＦＰＣ、１４０…ＰＣＢ、１５０…ＥＥＰＲＯＭ、１６０…素子基板固定冶具、２００…センサ、２１０…センサ制御回路、２２０…光量値補正回路、２２２…光量値測定部、２２３…光量値リスト、２２４…ハイパスフィルタ、２２５…高周波光量値リスト、２２６…ローパスフィルタ、２２７…低周波光量値リスト、２２８…補正値算出部、２３０…階調値補正部。
【図１】
2007044898.tif 000003
【図２】
2007044898.tif 000004
【図３】
2007044898.tif 000005
【図４】
2007044898.tif 000006
【図５】
2007044898.tif 000007
【図６】
2007044898.tif 000008
【図７】
2007044898.tif 000009
【図８】
2007044898.tif 000010
【図９】
2007044898.tif 000011
【図１０】
2007044898.tif 000012